(57)【特許請求の範囲】
【請求項１】
衣服であって、
前記衣服のポケット形成領域に設けられるポケットを備え、
前記ポケットは、前記ポケット形成領域に、それぞれの上端縁が一体化されたポケット裏布及びポケット表布を縫い合わせることによって構成されており、
前記ポケット裏布は、上端縁側から下端縁側に向かって前記ポケットの幅方向における間隔が狭まる一対の第１の縫い目によって前記ポケット形成領域に縫い合わされ、
前記ポケット裏布は、伸縮性を有する生地からなり、前記一対の第１の縫い目で挟まれた部分に前記ポケットの幅方向に伸縮性を有する伸縮部が設けられ、
前記ポケット裏布と前記ポケット形成領域との間に、前記一対の第１の縫い目で挟まれた収納空間が構成されていることを特徴とする、衣服。
【請求項２】
ポケットであって、
物品上のポケット形成領域に縫い合わされるポケット裏布と、
前記ポケット裏布を覆うように前記ポケット形成領域に縫い合わされ、その上端縁が前記ポケット裏布の上端縁と一体化されたポケット表布とを備え、
前記ポケット裏布は、上端縁側から下端縁側に向かって前記ポケットの幅方向における間隔が狭まる一対の第１の縫い目によって前記ポケット形成領域に縫い合わされ、
前記ポケット裏布は、伸縮性を有する生地からなり、前記一対の第１の縫い目で挟まれた部分に前記ポケットの幅方向に伸縮性を有する伸縮部が設けられ、
前記ポケット裏布と前記ポケット形成領域との間に、前記一対の第１の縫い目で挟まれた収納空間が構成されていることを特徴とする、ポケット。
【請求項３】
衣服であって、
前記衣服のポケット形成領域の表側に設けられるポケットと、
前記衣服の前記ポケット形成領域の裏側に設けられる隠しポケットとを備え、
前記ポケットは、それぞれの上端縁が一体化されたポケット裏布及びポケット表布を前記ポケット形成領域の表側に縫い合わせることによって構成され、
前記ポケット表布の上端縁を除く周縁部が前記ポケット形成領域に縫い合わされ、
前記ポケット形成領域には幅方向に延びるスリットが形成され、
前記隠しポケットは、前記スリットより前記ポケットの下端縁側において前記スリットに沿う縫い目によって前記ポケット形成領域と前記ポケット裏布とに縫い合わされる隠しポケット表布と、前記スリットより前記ポケットの上端縁側において前記スリットに沿う縫い目によって前記ポケット形成領域に縫い合わされる隠しポケット裏布とによって構成され、
前記隠しポケット表布及び前記隠しポケット裏布は、上端縁側から下端縁側に向かって前記隠しポケットの幅方向における間隔が狭まる一対の第１の縫い目によって縫い合わされ、
前記隠しポケット表布及び前記隠しポケット裏布の少なくとも一方は、伸縮性を有する生地からなり、前記一対の第１の縫い目で挟まれた部分に前記ポケットの幅方向に伸縮性を有する第１の伸縮部が設けられ、
前記ポケット裏布は、上端縁側から下端縁側に向かって前記ポケットの幅方向における間隔が狭まる一対の第２の縫い目によって前記ポケット形成領域に縫い合わされ、
前記ポケット裏布と前記ポケット形成領域との間に、前記一対の第２の縫い目で挟まれた収納空間が構成されていることを特徴とする、衣服。
【請求項４】
前記ポケット裏布のうち、前記一対の第２の縫い目で挟まれた少なくとも一部には、前記ポケットの幅方向に伸縮性を有する第２の伸縮部が設けられることを特徴とする、請求項３に記載の衣服。
【発明の詳細な説明】
【技術分野】
【０００１】
本発明は、ポケット及びポケットを有する衣服に関する。
【背景技術】
【０００２】
特許文献１には、シャツ等の衣類の胸ポケットを４５度傾けて縫製し、胸ポケットの入り口の一部を縫製することによって、胸ポケットに収納したスマートフォンの落下を防止することが記載されている。
【０００３】
また、特許文献２には、上着の前身頃に設けた開口部を覆うように表ポケット部と裏ポケット部とを設け、前身頃の開口部の一部に伸縮性を有する縦帯布を逢着することによって、上着の表側から裏ポケット部に携帯機器を収納でき、かつ、裏ポケット部に収納した携帯機器の落下を防止することが記載されている。
【先行技術文献】
【特許文献】
【０００４】
【特許文献１】特開２０１２−１５８８５８号公報
【特許文献２】登録実用新案第３０４８８５９号公報
【発明の概要】
【発明が解決しようとする課題】
【０００５】
本発明は、物品の出し入れが容易であり、かつ、収納した物品の脱落を防止できるポケット及びこれを有する衣服を提供することを目的とする。
【課題を解決するための手段】
【０００６】
本発明に係る衣服は、衣服のポケット形成領域に設けられるポケットを備え、ポケットは、ポケット形成領域に、それぞれの上端縁が一体化されたポケット裏布及びポケット表布を縫い合わせることによって構成されており、ポケット裏布は、上端縁側から下端縁側に向かってポケットの幅方向における間隔が狭まる一対の第１の縫い目によってポケット形成領域に縫い合わされ、ポケット裏布は、伸縮性を有する生地からなり、一対の第１の縫い目で挟まれた部分にポケットの幅方向に伸縮性を有する伸縮部が設けられ、ポケット裏布とポケット形成領域との間に、一対の第１の縫い目で挟まれた収納空間が構成されているものである。
【０００７】
また、本発明に係るポケットは、物品上のポケット形成領域に縫い合わされるポケット裏布と、ポケット裏布を覆うようにポケット形成領域に縫い合わされ、その上端縁がポケット裏布の上端縁と一体化されたポケット表布とを備え、ポケット裏布は、上端縁側から下端縁側に向かってポケットの幅方向における間隔が狭まる一対の第１の縫い目によってポケット形成領域に縫い合わされ、ポケット裏布は、伸縮性を有する生地からなり、一対の第１の縫い目で挟まれた部分にポケットの幅方向に伸縮性を有する伸縮部が設けられ、ポケット裏布とポケット形成領域との間に、一対の第１の縫い目で挟まれた収納空間が構成されているものである。
【０００８】
また、本発明に係る衣服は、衣服のポケット形成領域の表側に設けられるポケットと、衣服のポケット形成領域の裏側に設けられる隠しポケットとを備え、ポケットは、それぞれの上端縁が一体化されたポケット裏布及びポケット表布をポケット形成領域の表側に縫い合わせることによって構成され、ポケット表布の上端縁を除く周縁部がポケット形成領域に縫い合わされ、ポケット形成領域には幅方向に延びるスリットが形成され、隠しポケットは、スリットよりポケットの下端縁側においてスリットに沿う縫い目によってポケット形成領域とポケット裏布とに縫い合わされる隠しポケット表布と、スリットよりポケットの上端縁側においてスリットに沿う縫い目によってポケット形成領域に縫い合わされる隠しポケット裏布とによって構成され、隠しポケット表布及び隠しポケット裏布は、上端縁側から下端縁側に向かって隠しポケットの幅方向における間隔が狭まる一対の第１の縫い目によって縫い合わされ、隠しポケット表布及び隠しポケット裏布の少なくとも一方は、伸縮性を有する生地からなり、一対の第１の縫い目で挟まれた部分にポケットの幅方向に伸縮性を有する第１の伸縮部が設けられ、ポケット裏布は、上端縁側から下端縁側に向かってポケットの幅方向における間隔が狭まる一対の第２の縫い目によってポケット形成領域に縫い合わされ、ポケット裏布とポケット形成領域との間に、一対の第２の縫い目で挟まれた収納空間が構成されているものである。
【発明の効果】
【０００９】
本発明によれば、物品の出し入れが容易であり、かつ、収納した物品の脱落を防止できるポケット及びこれを有する衣服を実現できる。
【図面の簡単な説明】
【００１０】
【図１】第１の実施形態に係る衣服の正面図
【図２】図１のＸ部分の詳細を示す図
【図３】図２に示すＩＩＩ−ＩＩＩラインに沿う断面図
【図４】図２に示すＹ部分の裏面図
【図５】第１の実施形態に係るポケットの縫製方法を説明する図
【図６】第１の実施形態に係るポケットへの物品の収納方法を示す図
【図７】第１の実施形態に係るポケットへの物品の収納方法を示す図
【図８】第１の実施形態に係るポケットへの物品の収納方法を示す図
【図９】第２の実施形態に係るポケットの詳細を示す図
【図１０】図９に示すＺ部分の詳細を示す一部破断図
【図１１】第２の実施形態に係るポケットへの物品の収納方法を説明する図
【図１２】第２の実施形態に係るポケットへの物品の収納方法を説明する図
【図１３】第２の実施形態に係るポケットへの物品の収納方法を説明する図
【図１４】第３の実施形態に係るポケットの詳細を示す図
【図１５】第３の実施形態に係るポケットへの物品の収納方法を説明する図
【図１６】第４の実施形態に係る衣服の正面図
【図１７】図１６に示すＡ部分の裏面図
【図１８】図１７に示すＸＶＩＩＩ−ＸＶＩＩＩラインに沿う断面図
【図１９】第４の実施形態に係るポケットへの物品の収納方法を説明する図
【図２０】第５の実施形態に係るポケットの詳細を示す図
【図２１】第５の実施形態に係るポケットへの物品の収納方法を説明する図
【図２２】第６の実施形態に係るポケットの詳細を示す図
【図２３】第６の実施形態に係るポケットへの物品の収納方法を説明する図
【図２４】第７の実施形態に係る衣服の正面図
【図２５】図２４に示すＸＸＶＩ−ＸＸＶＩラインに沿う断面図
【図２６】図２４に示すＢ部分の裏面図
【図２７】第４の実施形態に係るポケットへの物品の収納方法を説明する図
【図２８】第８の実施形態に係るポケットの断面図
【図２９】第８の実施形態に係るポケットへ物品を収納した状態を示す図
【図３０】第９の実施形態に係る上衣の正面図
【図３１】図３０に示した上衣の襟元付近を裏側から見た図
【図３２】第９の実施形態に係る保持部材の詳細を示す図
【発明を実施するための形態】
【００１１】
以下、図面を参照しながら、本発明に係る衣服を説明する。本明細書に添付の図面においては、縫い目を短破線で表し、背面側に隠れた物品や部材の輪郭を長破線で表す。また、第１〜第３の実施形態において図示の便宜上前身頃の記載を省略している図面においては、実際には、紙面上の最も背面側に前身頃が位置している。第４〜第６の実施形態において図示の便宜上前身頃の記載を省略している図面においては、ポケットと隠しポケットとの間に前身頃が位置している。
【００１２】
（第１の実施形態）
図１は、第１の実施形態に係る衣服の正面図である。
【００１３】
衣服１は、左胸部分にポケット２を有する。本実施形態に係る衣服１のポケット２は、前身頃３の上に、ポケット裏布及びポケット表布５を重ね合わせ、ポケット表布５の周縁部のうち上端縁を除く部分を、衣服１の前身頃３に縫い合わせることによって形成される。図１においては、ポケット２の形状が長方形であるが、ポケット２の形状は特に限定されない。
【００１４】
図２は、図１のＸ部分の詳細を示す図である。より詳細には、図２（ａ）は、ポケットの正面図であり、図２（ｂ）は、ポケットの構造をわかりやすくするために、図２（ａ）に示すポケット表布を取り除いた状態を示す図である。図２においては、図示の便宜上、前身頃の記載を省略している。また、図３は、図２に示すＩＩＩ−ＩＩＩラインに沿う断面図であり、図４は、図２に示すＹ部分の裏面図である。
【００１５】
ポケット２は、衣服１の前身頃３に、ポケット裏布４及びポケット表布５をこの順に縫い合わせることによって構成されている。本実施形態においては、ポケット裏布４とポケット表布５とは１枚の生地からなる。この１枚の生地をポケット２の上端縁となる部分で折り曲げることによって、ポケット裏布４とポケット表布５とが重ね合わされた状態となっている。尚、ポケット裏布４とポケット表布５とは、必ずしも１枚の生地で構成する必要はなく、ポケット裏布４とポケット表布５とを別個に裁断し、ポケット２の上端縁となる部分で縫い合わせることによって一体化しても良い。
【００１６】
図２（ｂ）に示すように、ポケット裏布４の下端縁９から所定の高さまでの部分には、ポケット裏布４の幅方向の所定範囲に渡ってゴム部材６が縫い合わされている。そして、ポケット裏布４は、上端縁８から下端縁９に向かう一対の第１の縫い目７ａ及び７ｂによって前身頃３に縫い合わされている。ポケット裏布４の上端縁８及び下端縁９は、前身頃３に縫い合わされていない。このように、第１の縫い目７ａ及び７ｂによってポケット裏布４を前身頃に縫い合わせることによって、ポケット裏布４と前身頃３との間に、第１の縫い目７ａ及び７ｂで挟まれた、上下方向に延びる挿通孔３１が形成される。この挿通孔３１がポケット２の収納空間となる。
【００１７】
本実施形態においては、第１の縫い目７ａ及び７ｂは、ポケット裏布４の左右の端縁に対して傾斜する直線状に形成されており、ポケット２の幅方向における第１の縫い目７ａ及び７ｂの間隔は、ポケット裏布４の上端縁８側から下端縁９側へと向かうにつれて狭まっている。第１の縫い目７ａ及び７ｂの間隔は、最も狭い部分で、保持対象物の幅より小さくなるように設定されている。また、本実施形態では、第１の縫い目７ａ及び７ｂは、ゴム部材６上を通過する位置に形成されている。このように、第１の縫い目７ａ及び７ｂの間隔を上端縁８側から下端縁９側へと向かって狭めているのは、ポケット２への物品の収納（挿入）をしやすくするためである。尚、ポケット２への物品の収納については後述する。
【００１８】
また、図４に示すように、ポケット裏布４の下端縁９の中央部には、切欠１０が形成されている。本実施形態においては、切欠１０は、底辺がゴム部材６の下端縁と略一致する三角形状を有する。ポケット裏布４のうち、切欠１０の一対の斜辺に沿う部分は、ゴム部材６に縫い合わされている。このように、ポケット裏布４の下端縁９のゴム部材６と重なる部分に切欠１０を設けて、切欠１０と重なるようにポケット裏布４にゴム部材６を縫い合わせることによって、ポケット裏布４のうち、一対の第１の縫い目７ａ及び７ｂで挟まれた部分に、ポケット２の幅方向に伸縮可能な伸縮部１２が構成される。
【００１９】
ポケット表布５は、図２（ａ）及び図３に示すように、ポケット裏布４の上端縁８で折り返されて、ポケット裏布４を完全に覆うようにポケット裏布４に重ね合わされている。この状態で、ポケット表布５の上端縁、つまり、ポケット２の開口部となる部分を除いて、ポケット表布５の周縁部が前身頃３に縫い合わされている。ポケット表布５がポケット裏布４を覆い隠すことによって、衣服１の外観上、ポケット裏布４が見えなくなっている。
【００２０】
図５は、第１の実施形態に係るポケットの縫製方法を説明する図である。尚、図５においても、図示の便宜上、前身頃の記載を省略している。
【００２１】
まず、図５（ａ）に示すポケット２を形成用の部品を縫製する。具体的には、１枚の生地から、ポケット裏布４とポケット表布５とを一体に裁断し、ポケット裏布４の下端縁９に切欠１０を形成した後、ゴム部材６をポケット裏布４に縫い合わせる。また、ポケット表布５の周縁部を折り返すことによって、生地の端縁のほつれを防ぐと共に縫い代として用いるための折り返し部１３ａ〜１３ｃを設ける。また、ポケット表布５とポケット裏布４との境界部分は、折り目１４を形成する。
【００２２】
次に、図５（ｂ）に示すように、前身頃上におけるポケット２の形成領域にポケット裏布４を重ね合わせて、ポケット裏布４と前身頃とを縫い合わせ、縫い目７ａ及び７ｂを形成する。これによって、ポケット裏布４の上端縁となる折り目１４からから下端縁９に向かって幅が狭まる挿通孔３１が形成される。
【００２３】
次に、図５（ｃ）に示すように、折り目１４でポケット表布５を折り返して、ポケット裏布４上にポケット表布５を重ね合わせた状態とし、折り目１４を除くポケット表布５の周縁部を前身頃に縫い合わせる。このとき、ポケット表布５と共にポケット裏布４の上端縁以外の部分を一緒に前身頃に縫い合わせても良い。
【００２４】
以上の工程を経てポケット２が縫製される。
【００２５】
図６〜図８は、第１の実施形態に係るポケットへの物品の収納方法を示す図である。より詳細には、図６（ａ）、図７（ａ）及び図８（ａ）は、ポケット２の正面図であり、図６（ｂ）、図７（ｂ）及び図８（ｂ）は、説明をわかりやすくするために、ポケット表布を取り除いた状態を示す図である。尚、図６〜図８においても、図示の便宜上、前身頃の記載を省略している。また、図６〜図８においては、ポケット２にスマートフォン１５を収納する例を説明する。
【００２６】
まず、図６に示すように、スマートフォン１５の一部をポケット２の上端縁の開口部から、ポケット裏布４と前身頃との間に形成される挿通孔３１に挿入する。ポケット表布５の上端縁とポケット裏布４の上端縁とは一体であるので、一般的なポケットに収納する場合と同様に、特に意識することなく挿通孔３１にスマートフォン１５を挿入することができる。
【００２７】
次に、図７に示すように、第１の折り目７ａ及び７ｂの間隔とスマートフォン１５の幅とが略等しくなる深さまで、更にスマートフォン１５をポケット２の内部に挿入すると、ゴム部材６によって伸縮部１２に働く収縮力によって、スマートフォン１５の挿入に対して抵抗が生じる。
【００２８】
この状態から更にスマートフォン１５をポケット２の内部に押し込むと、スマートフォン１５によって伸縮部１２が押し広げられ、図８に示すように、スマートフォン１５がポケット裏布４の下端縁９と前身頃３との間に形成されている開口部を貫通した状態となる。このとき、スマートフォン１５が伸縮部１２に生じる収縮力によって保持されるため、前屈みになるなどしてポケット２の開口部が下方に向いた場合でも、ポケット２からのスマートフォン１５の脱落が防止される。
【００２９】
以上説明したように、本実施形態に係る衣服１においては、ポケット裏布４と前身頃３とを縫い合わせるための第１の縫い目７ａ及び７ｂの間隔が、ポケット２の開口部から内部に向けて狭まるように形成されているため、使用者は、伸縮部１２の位置を意識することなく、スマートフォン１５をポケット２に挿入するだけで、伸縮部１２の位置にスマートフォン１５を誘導することができる。つまり、第１の縫い目７ａ及び７ｂが、スマートフォン１５の挿入時に、伸縮部１２の位置にスマートフォン１５を導くガイドとして機能する。また、伸縮部１２はゴム部材６によって幅方向に収縮可能であるので、スマートフォン１５を挿入して軽く押し込むだけで、ポケット裏布４の下端縁９と前身頃との間に形成される開口部にスマートフォン１５を嵌め込むことができる。また、スマートフォン１５の取り出し時には、使用者は、スマートフォン１５をポケット２から引き出すだけで良い。したがって、一般的なポケットに収納する場合と同様の操作でスマートフォン１５を出し入れすることができる。
【００３０】
また、スマートフォン１５をポケットに収納した状態では、伸縮部１２によってスマートフォン１５が保持されるため、使用者が前屈みになった場合などに、予期せずスマートフォン１５がポケット２から脱落することを防止することができる。
【００３１】
ポケット裏布４は、ポケット表布５によって完全に覆い隠されているため、衣服１の外観上、ポケット裏布４は見えない。したがって、ポケット裏布４を設けることによって、衣服１のデザイン性を損なうことはない。
【００３２】
単にポケット２の内部に収納した物品の脱落を防止する目的では、ポケットの上端縁にボタンやファスナーを設ければ良いが、この場合は、そもそもポケットへの物品の出し入れがしにくく、ポケットのデザインも限定される。これに対して、本発明に係る衣服によれば、デザインを損なうことなく、ポケットへの物品の出し入れが容易で、かつ、ポケットに収容した物品の脱落を防止できる衣服を実現できる。
【００３３】
また、一般的なポケットにおいても、ポケット開口部のほつれを防ぐために、ポケットの上端縁に折り返し部分が設けられる。本実施形態におけるポケット裏布４は、一般的なポケットの上端縁の折り返し部分を延長することによって構成することができるので、生地の裁断形状を若干変更するだけでポケット２の形成用部品を作製することができ、ゴム部材６の他に特別な部材も不要である。また、ポケット裏布４は、第１の縫い目７ａ及び７ｂによって前身頃に縫製されるので、ポケット２の縫製のために大幅に縫製工程を変更する必要もない。したがって、簡単かつ効率的に本実施形態に係る衣服を縫製することができる。
【００３４】
更に、本実施形態では、ポケット裏布４の下端縁に三角形の切欠１０を設け、切欠１０を覆うようにゴム部材６をポケット裏布４に縫い合わせている。したがって、ポケット２にスマートフォンを収納していない状態では、ポケット裏布４は略平坦であるので、ポケット裏布４を設けたことによって凹凸が生じず、外観上もすっきりした状態となる。
【００３５】
また、本実施形態のように、切欠１０及びこれに重なるゴム部材６によって伸縮部１２を形成した場合、ポケット裏布４の幅方向における伸縮部１２の伸張可能量（伸び幅）及び収縮力は、ゴム部材の下端縁で最も大きく、ゴム部材６の上端縁で最も小さくなる。したがって、ポケット２へのスマートフォン１５の挿入時に、伸縮部１２の収縮力によっていきなり大きな抵抗が生じるのではなく、スマートフォン１５が伸縮部１２を通過するに従って徐々に大きくなる。この結果、ポケット裏布４の下端縁に形成された開口部にスマートフォン１５を挿通させる際に、スマートフォン１５に大きな抵抗が働いて引っ掛かるような感覚を使用者に与えることがなく、スムーズにスマートフォン１５を挿入することができる。
【００３６】
尚、本実施形態では、ポケット裏布４の下端縁９に切欠１０を設ける例を説明したが、切欠１０に代えて、単に切り込みを設けるだけでも良い。切欠１０と同様に、切り込みによっても、ポケット裏布４の下端縁近傍の拘束を低減できるので、ポケット裏布４に縫い合わせたゴム部材６によって伸縮可能な伸縮部１２を構成できる。この場合、伸縮部１２の伸張可能量及び収縮力がポケット裏布４の下端縁９に向かって大きくなるように、切り込み近傍におけるポケット裏布４とゴム部材６との縫い目を形成しても良い。例えば、切欠１０に代えて切り込みを設けた場合でも、切り込み近傍におけるポケット裏布４とゴム部材６との縫い目を、本実施形態と同様にハの字型にすれば良い。
【００３７】
（第２の実施形態）
図９は、第２の実施形態に係るポケットの詳細を示す図であり、図１０は、図９に示すＺ部分の詳細を示す一部破断図である。図１０においては、ゴム部材６の端部から所定範囲を取り除いた状態を示している（取り除いた部分は二点鎖線で示す）。尚、図９及び図１０においても、図示の便宜上、前身頃の記載を省略している。
【００３８】
本実施形態に係る衣服は、スマートフォン１５を挿入して保持するための挿通孔３１（第１の挿通孔）に加え、ポケット２の側縁部分に、ペンや眼鏡等のスティック状の物品を挿入して保持するための挿通孔３２（第２の挿通孔）が設けられている。
【００３９】
より詳細には、図１０に示すように、ポケット裏布４の下端縁９の一方端部には、切欠１６が形成されており、ポケット裏布４の下端縁９の略全体に沿うように、かつ、切欠１６を覆うように、ゴム部材６がポケット裏布４に縫い合わされている。ポケット裏布４にゴム部材６を縫い合わせる際には、ゴム部材６の上端縁部分と下端縁部分とにおいて、ポケット裏布４にヒダ１７が形成されるように、ポケット裏布４の幅方向にギャザーを寄せて縫製を行うことによって、ポケット裏布４の幅方向に収縮可能な伸縮部１２を形成する。このとき、ゴム部材６の上端縁部分と比べて下端縁部分における伸縮部１２の収縮量及び収縮力が大きくなるように、ゴム部材６の上端縁部分と比べて下端縁部分により多くギャザーを入れることが好ましい。尚、ギャザーは、ポケット裏布４のうち、少なくとも第１の縫い目７ａ及び７ｂの形成位置より内側の部分に入れれば良い。
【００４０】
ポケット裏布４にギャザーを入れるために、ゴム部材６の長さより、ポケット裏布４の下端縁９の幅を大きくすることが必要である。ポケット２のサイズにもよるが、スマートフォンを保持する目的であれば、例えば、ゴム部材６の長さより、ポケット裏布４の下端縁の幅を１〜３ｃｍ程度長くすれば良い。
【００４１】
第１の縫い目７ａ及び７ｂは、ポケット裏布４の上端縁８から下端縁９にかけて、切欠１６以外の部分を通過するように形成される。第１の縫い目７ａ及び７ｂは、第１の実施形態と同様に、ポケット裏布４の幅方向における第１の縫い目７ａ及び７ｂの間隔がポケット裏布４の上端縁８から下端縁９に向かって狭まるように形成される。第１の縫い目７ａ及び７ｂによって、挿通孔３１が形成されている。
【００４２】
第１の縫い目７ａの幅方向外側（図９（ｂ）における左側）には、更に、ポケット裏布４の上端縁８から下端縁９まで延びる一対の第２の縫い目１８ａ及び１８ｂが設けられている。また、第２の縫い目１８ａ及び１８ｂの少なくとも一方は、ゴム部材６のうち、ポケット裏布４に設けられた切欠１６に重なる部分を通過するように形成される。本実施形態では、第２の縫い目１８ａが切欠１６に重なるゴム部材６の一部を通過し、第２の縫い目１８ｂがポケット裏布４の切欠１６近傍を通過する。これらの第２の縫い目１８ａ及び１８ｂによって、ポケット裏布４と前身頃との間、及び、切欠１６を覆うゴム部材６の一部と前身頃との間に、第２の縫い目１８ａ及び１８ｂに挟まれ、ポケット２の上下方向に延びる挿通孔３２が形成される。更に、切欠１６に重なるゴム部材６の一部において、ポケット裏布４の幅方向における第２の縫い目１８ａ及び１８ｂの間隔が、部分的に狭まるように、第２の縫い目１８ａの一部が折れ線上に形成されている。この結果、切欠１６に重なるゴム部材６の一部と前身頃との間に形成される、挿通孔３２の一部に相対的に幅が狭くなった狭窄部１９が形成される。本実施形態では、第２の縫い目１８ａの形状によって狭窄部１９を形成しているが、第２の縫い目１８ａを直線とし、第２の縫い目１８ｂを折れ線または曲線としても良い。また、狭窄部１９は、挿通孔３２の他の部分と比べて部分的に幅が狭くなっていれば良いが、本実施形態のように、挿通孔３２の幅が徐々に狭くなった後に、再度徐々に拡がるように狭窄部１９を設けた場合、狭窄部１９に物品の一部が引っ掛かることなくスムーズな物品の出し入れが可能となる。
【００４３】
図１１〜図１３は、第２の実施形態に係るポケットへの物品の収納方法を説明する図である。より詳細には、図１１（ａ）、図１２（ａ）及び図１３（ａ）は、ポケットの正面図であり、図１１（ｂ）、図１２（ｂ）及び図１３（ｂ）は、説明をわかりやすくするために、ポケット表布を取り除いた状態を示す図である。尚、図１１〜図１３においても、図示の便宜上、前身頃の記載を省略している。また、図１１〜図１３においては、ポケット２にスマートフォン１５と眼鏡２０とを収納する例を説明する。図１２（ｂ）及び図１３（ｂ）においては、説明をわかりやすくするため、眼鏡のテンプル（つる）以外の部分の記載を省略している。
【００４４】
まず、図１１は、ポケット裏布４と前身頃との間に形成された挿通孔３１にスマートフォン１５を収納した状態を示す。スマートフォン１５の収納方法は、第１の実施形態と同じであり、ポケット裏布４と前身頃との間に形成される挿通孔３１にスマートフォン１５を挿入して軽く押し込むことによって、スマートフォン１５がポケット裏布４の下端縁９と前身頃との間に形成される開口部を貫通した状態となり、伸縮部１２によってスマートフォン１５が保持される。本実施形態に係るポケット２においては、挿通孔３１の他に挿通孔３２が形成されているが、挿通孔３２の幅は、眼鏡のテンプルやペン等の棒状体の挿入に適した寸法に設定されているため、ポケット２にスマートフォン１５を挿入する際に、スマートフォン１５を挿通孔３２に間違って挿入してしまう虞はなく、一般的なポケットに収納する場合と同様に、意識することなくポケット２にスマートフォン１５を挿入することができる。また、第１の実施形態と同様に、スマートフォン１５がポケット裏布４の下端縁９と前身頃３との間に形成されている第１の挿通孔を貫通した状態では、スマートフォン１５がゴム部材６の収縮力によって伸縮部１２によって保持されるため、前屈みになるなどしてポケット２の開口部が下方に向いた場合でも、ポケット２からのスマートフォン１５の脱落が防止される。
【００４５】
次に、図１２に示すように、眼鏡２０のテンプル２１を、ポケット裏布４と前身頃との間に形成された挿通孔３２に挿入する。挿通孔３２には、狭窄部１９が設けられているため、テンプル２１の先端部分が狭窄部１９に達すると、狭窄部１９に引っ掛かった状態となり、テンプル２１の挿入に若干の抵抗が生じる。
【００４６】
上述したように、狭窄部１９が形成された部分は、ポケット裏布４が切り欠かれているため、当該部分のゴム部材６は伸縮可能である。したがって、更にテンプル２１をポケット２内部に挿入すると、テンプル２１の先端部はゴム部材６を押し広げながら、狭窄部１９を通過し、図１３に示すようにテンプル２１が挿通孔３２を貫通した状態となる。眼鏡２０のテンプル２１の先端部には、耳に引っ掛けるための屈曲部２２が設けられている。一旦テンプル２１を挿通孔３２に収納した後は、屈曲部２２が狭窄部１９に引っ掛かるため、前屈みになった場合でも眼鏡２０の脱落が防止される。尚、眼鏡２０の取り出し時には、眼鏡２０のテンプルを引き上げることによって、テンプル２１がゴム部材６を押し広げながら狭窄部１９を通過し、挿通孔３２から引き出される。
【００４７】
このように、本実施形態に係る衣服１のポケット２によれば、使用者が前屈みになった場合などには、眼鏡２０が自重によってポケット２から脱落することが防止され、眼鏡２０を意図的に引き上げた場合には僅かな力で眼鏡２０を取り出すことができる。
【００４８】
尚、本実施形態に係るポケット２の縫製方法は、基本的には第１の実施形態と同じである。すなわち、ポケット前布５及びポケット裏布４が一体になった部品を用意し、ポケット裏布４に切欠１６を形成すると共に、ゴム部材６をポケット裏布４に縫い合わせる。次に、ポケット裏布４を前身頃上のポケット２の形成領域に重ねて、ポケット裏布４を前身頃に縫い合わせ、第１の縫い目７ａ及び７ｂと、第２の縫い目１８ａ及び１８ｂとを形成する。その後、ポケット表布５をポケット裏布４に重ねて、上端縁を除く周縁部を前身頃に縫い合わせる。これらの工程を経て、本実施形態に係るポケット２を縫製できる。
【００４９】
また、ポケット裏布４を前身頃に縫い合わせるための縫い目のうち、第２の縫い目１８ａは、ポケット表布５を縫製するための縫い目が兼ねても良い。つまり、ポケット裏布４を前身頃に縫い合わせる際には第２の縫い目１８ｂを形成せず、ポケット表布５を前身頃に縫い合わせる際に、第２の縫い目１８ｂの形成位置に縫い目を形成すれば良い。この場合、第２の縫い目１８ｂを折れ線や曲線にすることによって、狭窄部１９を構成すれば良い。
【００５０】
更に、本実施形態では、一対の第２の縫い目１８ａ及び１８ｂが部分的に狭くなる狭窄部１９を設けたが、狭窄部１９はなくても良い。つまり、第２の縫い目１８ａ及び１８ｂの間隔は、略一定としても良いし、ポケット裏布４の上端縁から下端縁に向かって徐々に増加または徐々に減少するようにしても良い。これらの場合においても、テンプル２１の屈曲部２２がゴム部材６の下端縁に引っ掛かるため、前屈みになった場合などに予期せず眼鏡２０が脱落することを防止できる。
【００５１】
更に、本実施形態では、一方の第２の縫い目１８ａが、切欠１６を覆うゴム部材６の一部を通過するように形成されている。このように、第２の縫い目１８ａ及び１８ｂのうち少なくとも一方が、切欠を覆うゴム部材６の一部を通過していれば、挿通孔３２の一部が伸縮可能となるので、当該伸縮可能な部分を押し広げながら眼鏡等の物品を出し入れすることができ、また、当該伸縮可能な部分によって収納物品を保持することができる。
【００５２】
更に、本実施形態では、ギャザーを入れてゴム部材６をポケット裏布４に縫い合わせることによって伸縮部１２を構成しているが、この構成に代えて、第１の実施形態で説明したように、ポケット裏布４の下端縁に設けた切欠や切り込みを覆うようにゴム部材を縫い合わせることによって伸縮部１２を構成してもよい。
【００５３】
（第１及び第２の実施形態の変形例）
尚、上記の各実施形態では、ゴム部材６を用いて伸縮部１２を構成する例を説明したが、メリヤス等の伸縮性のある生地でポケット裏布４を形成する場合は、ゴム部材６を用いず、ポケット裏布４の伸縮性を利用して伸縮部１２を構成してもよい。この場合、第１の縫い目７ａ及び７ｂの間隔をゴム部材６の上端縁から下端縁に向かって狭めることによって、伸縮部１２の伸縮力がゴム部材６の上端縁から下端縁に向かって大きくなるように調整すれば良い。
【００５４】
また、上記の各実施形態では、ポケット裏布４にゴム部材６を重ねて縫い合わせることによって伸縮部１２を構成したが、ポケット裏布４の下端縁とゴム部材６とを重ねて縫い合わせることによって伸縮部１２を構成してもよい。この場合、第１の縫い目７ａ及び７ｂの間隔をゴム部材６の上端縁から下端縁に向かって狭めることによって、伸縮部１２の伸縮力がゴム部材６の上端縁から下端縁に向かって大きくなるように調整すれば良い。
【００５５】
更に、上記の各実施形態では、ポケット裏布４の下端縁９の近傍に伸縮部１２を構成する例を説明したが、第１の縫い目７ａ及び７ｂの間であれば、伸縮部１２の上下方向の位置は特に限定されない。ただし、物品の収納に伴って伸縮部１２を伸張させるためには、伸縮部１２の幅の最小値を物品の幅より小さくする必要がある。したがって、ポケット２の開口部を広く使えるようにするために、伸縮部１２は、ポケット裏布４の上端縁より下方に設けることが好ましい。また、上記の各実施形態のように、伸縮部１２をポケット裏布４の下端縁近傍に設けた場合には、物品をポケット２にほぼ収納した状態で伸縮部による抵抗が生じる。したがって、一般的なポケットに収納する場合と同様に物品をポケット２に挿入した後、最後に力を加えて押し込む動作を行えば済むので、一般的なポケットに収納する場合と比べても、物品の出し入れ時の違和感は少なくなる。また、ポケット裏布４の下端縁近傍に伸縮部１２を設けた場合、伸縮部１２によって保持する必要のない物品を出し入れする場合には、当該物品を押し込む動作が不要となるので、一般的なポケットと同様にポケット２を使用することができる。したがって、伸縮部１２をポケット裏布４の下端縁近傍に設けることがより好ましい。
【００５６】
更に、上記の各実施形態では、第１の縫い目７ａ及び７ｂを直線または折れ線とした例を説明したが、第１の縫い目７ａ及び７ｂは、曲線であっても良い。また、第１の縫い目７ａ及び７ｂのいずれか一方を、ポケット２の側縁と略平行な直線とし、他方を曲線、折れ線、ポケット２の側縁に対して傾斜する直線とし、第１の縫い目７ａ及び７ｂの間隔をポケット裏布４の上端縁８から下端縁９に向かって狭まるようにしても良い。
【００５７】
更に、上記の各実施形態では、第１の縫い目７ａ及び７ｂの間隔は、ポケット裏布４の上端縁から下端縁に向かうに連れて連続的に狭まっているが、段階的に狭まるようにしても良い。例えば、ポケット２の開口部から所定範囲では、ポケットの側方端縁と平行に第１の縫い目７ａ及び７ｂを形成し、その後、下端縁に向かうにつれて第１の縫い目７ａ及び７ｂの間隔が狭まるようにしても良い。このように構成すれば、ポケット２の開口部側において、収納空間を広く取ることができる。
【００５８】
更に、上記の各実施形態では、ポケット裏布４の下端縁９の近傍において、第１の縫い目７ａ及び７ｂの外側にもゴム部材６が設けられているが、伸縮部１２は、第１の縫い目７ａ及び７ｂの間にあれば良いので、第１の縫い目７ａ及び７ｂに挟まれた部分にのみゴム部材６が縫い合わされていても良い。第１の縫い目７ａ及び７ｂの間に伸縮部１２が構成される限り、ゴム部材６の長さは任意である。
【００５９】
更に、上記の第１の実施形態の構成において、第２の実施形態で説明した挿通孔３２を形成しても良い。つまり、第１の実施形態のポケット裏布４の下端縁の一方端部を切り欠いて、この切欠重なるようにゴム部材６を縫い合わせ、第１の縫い目７ａ及び７ｂの外側に一対の第２の縫い目を形成すれば良い。
【００６０】
更に、上記の第２の実施形態の構成において、挿通孔３２を省略しても良い。つまり、第１の実施形態の伸縮部の構成に代えて、第２の実施形態の伸縮部の構成を採用しても良い。
【００６１】
（第３の実施形態）
図１４は、第３の実施形態に係るポケットの詳細を示す図である。図１４（ａ）は、ポケットの正面図であり、図１４（ｂ）は、説明をわかりやすくするために、ポケット表布を取り除いた状態を示す図である。尚、図１４においても、図示の便宜上、前身頃の記載を省略している。
【００６２】
本実施形態に係る衣服においては、ポケット２に２つのゴム部材６ａ及び６ｂが縫い合わされて、２段の伸縮部１２ａ及び１２ｂが形成されている。より詳細には、図１４に示すように、ゴム部材６ａは、ポケット裏布４の下端縁９に沿ってポケット裏布４に縫い合わされ、ゴム部材６ｂは、ゴム部材６ａよりポケット裏布４の上端縁側においてポケット裏布４に縫い合わされている。第２の実施形態と同様に、ポケット裏布４にゴム部材６ａ及び６ｂを縫い合わせる際には、ゴム部材６ａ及び６ｂの上端縁部分と下端縁部分とにおいて、ポケット裏布４にヒダ１７が形成されるように、ポケット裏布４の幅方向にギャザーを寄せて縫製を行い、これによって、ポケット裏布４の幅方向に収縮可能な伸縮部１２ａ及び１２ｂを形成する。このとき、ゴム部材６ａ及び６ｂの上端縁部分と比べて下端縁部分における伸縮部１２の収縮力が大きくなるように、ゴム部材６ａ及び６ｂの上端縁部分と比べて下端縁部分により多くギャザーを入れることが好ましい。尚、ギャザーは、ポケット裏布４のうち、少なくとも第１の縫い目７ａ及び７ｂの形成位置より内側の部分に入れれば良い。
【００６３】
第１の縫い目７ａ及び７ｂは、ポケット２の幅方向における間隔が段階的に狭まるように形成されている。より詳細には、本実施形態では、図１４（ｂ）に示すように、ゴム部材６ａよりポケット裏布４の上端縁側の部分と、ゴム部材６ａ及び６ｂに挟まれた部分とにおいては、第１の縫い目７ａ及び７ｂの間隔がポケット裏布４の下端縁９側に向かって単調に狭まり、ゴム部材６ａ上及びゴム部材６ｂ上においては、第１の縫い目７ａ及び７ｂの間隔が略一定となるように、第１の縫い目７ａ及び７ｂが形成されている。これらの第１の縫い目７ａ及び７ｂによって、ポケット裏布４と前身頃との間に第１の挿通孔３１が形成される。このように第１の縫い目７ａ及び７ｂを形成することによって、図１４（ｂ）に示すように、ゴム部材６ａの上端縁における第１の縫い目７ａ及び７ｂの間隔Ｗ１は、ゴム部材６ｂの上端縁における第１の縫い目７ａ及び７ｂの間隔Ｗ２より小さくなっている。
【００６４】
また、第２の実施形態と同様に、第１の縫い目７ａの幅方向外側（図１４（ｂ）における左側）には、更に、ポケット裏布４の上端縁８から下端縁９まで延びる一対の第２の縫い目１８ａ及び１８ｂが設けられている。これらの第２の縫い目１８ａ及び１８ｂによって、ポケット裏布４と前身頃との間に、ポケット２の上下方向に延びる挿通孔３２が形成される。尚、ゴム部材６ａ及び６ｂと重なるポケット裏布４の一部（図１４（ｂ）に示す斜線部分）は切り欠かれており、眼鏡のテンプル等の物品を挿通孔３２に挿入したときに、ポケット裏布４の切欠に重なるゴム部材６ａ及び６ｂの一部が伸張することによって物品を保持する。
【００６５】
図１５は、第３の実施形態に係るポケットへの物品の収納方法を説明する図である。図１５（ａ）及び（ｂ）は、図１４（ｂ）に対応する図であって、ポケット表布及び前身頃の記載を省略している。
【００６６】
まず、図１５（ａ）は、幅方向の寸法が、ゴム部材６ａの上端縁における第１の縫い目７ａ及び７ｂの間隔Ｗ１より大きく、かつ、ゴム部材６ｂの上端縁における第１の縫い目７ａ及び７ｂの間隔Ｗ２より小さいスマートフォン１５ａを挿通孔３１に挿入した状態を示す。この場合、スマートフォン１５ａの一部が伸縮部１２ｂによって保持され、前屈みになった場合などに、スマートフォン１５ａが予期せず脱落することが防止される。スマートフォン１５ａの幅方向の寸法は、ゴム部材６ａの上端縁における第１の縫い目７ａ及び７ｂの間隔Ｗ１より大きいため、スマートフォン１５ａを挿通孔３１に挿入してポケット２の下方に押し込むと、ゴム部材６ａ及び６ｂに挟まれた部分に形成された第１の縫い目７ａ及び７ｂによって、スマートフォン１５ａのポケット２の内部への進行が停止する。
【００６７】
次に、図１５（ｂ）は、幅方向の寸法が、ゴム部材６ａの上端縁における第１の縫い目７ａ及び７ｂの間隔より小さいスマートフォン１５ｂを挿通孔３１に挿入した状態を示す。この場合、スマートフォン１５ａの一部が主に伸縮部１２ａによって保持され、前屈みになった場合などに、スマートフォン１５ａが予期せず脱落することが防止される。
【００６８】
このように、本実施形態に係る衣服によれば、２つの伸縮部１２ａ及び１２ｂによって、幅方向のサイズが異なる複数種類の物品を保持することができる。したがって、スマートフォンの機種変更をした場合や、スマートフォンとはサイズの異なる物品を収納する場合でも、収納した物品が予期せず脱落してしまうことを防止できる。また、第１の縫い目７ａ及び７ｂの間隔がポケット２の上端縁側から下端縁側に向かって狭まっていることによって、挿通孔３１に物品を収容した場合に、第１の縫い目７ａ及び７ｂが物品を収縮部１２ａ及び１２ｂに導くガイドとして機能する。したがって、収縮部１２ａ及び１２ｂの位置を意識することなく、物品を挿通孔３１に挿入して押し込むだけで、収縮部１２ａ及び１２ｂに物品を保持することができる。
【００６９】
（第３の実施形態の変形例）
尚、上記の第３の実施形態では、２つの伸縮部１２ａ及び１２ｂを設けた例を説明したが、３以上の伸縮部を設けても良い。この場合、第１の縫い目７ａ及び７ｂの間隔によって規定される各伸縮部の幅が、ポケット２の上端縁側から下端縁側に向かって狭まるように形成する。例えば、ポケット２の上端縁側から下端縁側に向かって、第１〜第３の伸縮部を設ける場合、第１の伸縮部の幅が最も広く、第３の伸縮部の幅が最も狭くなるように、第１の縫い目７ａ及び７ｂを形成する。このように構成することによって、幅の異なる３種類の物品をポケット２に収納して保持することができる。
【００７０】
また、上記の第３の実施形態では、２つのゴム部材６ａ及び６ｂによって、２つの伸縮部１２ａ及び１２ｂが構成されているが、１つのゴム部材を設け、このゴム部材上に形成する第１の縫い目７ａ及び７ｂの間隔を段階的に狭めることによって、２以上のサイズの物品を保持するようにしても良い。
【００７１】
（第４の実施形態）
図１６は、第４の実施形態に係る衣服の正面図である。
【００７２】
本実施形態に係る衣服１は、前身頃３の左胸部分（ポケット形成領域）の表側に設けられるポケット２と、前身頃３の左胸部分（ポケット形成領域）の裏側に設けられる隠しポケット４１とを有する。本実施形態に係る衣服１のポケット２は、前身頃３の上に、ポケット裏布及びポケット表布５を重ね合わせ、ポケット表布５の周縁部のうち上端縁を除く部分を、衣服１の前身頃３に縫い合わせることによって形成される。図１６においては、ポケット２の形状が長方形であるが、ポケット２の形状は特に限定されない。
【００７３】
図１７は、図１６に示すＡ部分の裏面図である。図１７（ｂ）においては、ポケットの構造をわかりやすくするために、図１７（ａ）に示す隠しポケット裏布を取り除いた状態を示している。図１７においては、図示の便宜上、前身頃の記載を省略している。また、図１８は、図１７に示すＸＶＩＩＩ−ＸＶＩＩＩラインに沿う断面図である。
【００７４】
隠しポケット４１は、前身頃３の裏側に、隠しポケット表布４２と隠しポケット裏布４３とを縫い合わせることによって構成されている。本実施形態においては、隠しポケット表布４２と隠しポケット裏布４３とは、別の生地によって形成されているが、隠しポケット４１の下端縁で折り曲げた１枚の生地によって隠しポケット４１を構成してもよい。
【００７５】
前身頃３には、ポケット２の幅方向に延びるスリット４４が形成されており、スリット４４に沿って隠しポケット表布４２及び隠しポケット裏布４３が縫い合わされている。より詳細には、隠しポケット表布４２は、スリット４４よりポケット２の下端縁側においてスリット４４に沿う縫い目４５ａによって、前身頃３とポケット裏布４とに縫い合わされる。一方、隠しポケット裏布４３は、スリット４４よりポケット２の上端縁側においてスリット４４に沿う縫い目４５ａによって、前身頃３に縫い合わされている。このようにスリット４４の上下に隠しポケット裏布４３及び隠しポケット表布４２をそれぞれ縫い合わせることによって、図１８（ａ）に示すように、隠しポケット表布４２及び隠しポケット裏布４３の間に形成される挿通孔３３が、スリット４４を通じて、ポケット裏布４及び前身頃３の間に形成された挿通孔３１と連通する。
【００７６】
尚、図１７の例では、ポケット２の幅方向に細長い矩形上の開口部によってスリット４４が形成されているが、ポケット２の幅方向に延びる切り込みによってスリット４４を形成しても良い。
【００７７】
隠しポケット裏布４３には、隠しポケット４１の幅方向に延びる、帯状のゴム部材６が縫い合わされている。隠しポケット裏布４３にゴム部材６を縫い合わせる際には、ゴム部材６の上端縁部分と下端縁部分とにおいて、隠しポケット裏布４３にヒダ１７が形成されるように、隠しポケット裏布４３の幅方向にギャザーを寄せて縫製を行うことによって、隠しポケット裏布４３の幅方向に収縮可能な伸縮部１２を形成する。このとき、ゴム部材６の上端縁部分と比べて下端縁部分における伸縮部１２の収縮力が大きくなるように、ゴム部材６の上端縁部分と比べて下端縁部分により多くギャザーを入れることが好ましい。尚、ギャザーは、ポケット裏布４のうち、少なくとも第１の縫い目４７ａ及び４７ｂの形成位置より内側の部分に入れれば良い。
【００７８】
また、隠しポケット表布４２と隠しポケット裏布４３とは、隠しポケット４１の上端縁側（スリット４４側）から隠しポケット４１の下端縁側に向かって間隔が狭まる一対の第１の縫い目４７ａ及び４７ｂによって縫い合わされている。これらの第１の縫い目４７ａ及び４７ｂによって、隠しポケット表布４２と隠しポケット裏布４３との間に挿通孔３３が形成される。これらの第１の縫い目４７ａ及び４７ｂは、隠しポケット４１に物品を収容する際に物品を収縮部１２に導くガイドとして機能する。
【００７９】
更に、ポケット裏布４と前身頃３とは、ポケット２の上端縁から下端縁に向かって幅が狭まる一対の第２の縫い目４８ａ及び４８ｂが形成されている。これらの第２の縫い目４８ａ及び４８ｂは、挿通孔３１に物品を挿入した際に、物品を隠しポケット４１に導くガイドとして機能する。第２の縫い目４８ａ及び４８ｂの下端がスリット４４の幅方向の両端部にそれぞれ位置しているが、第２の縫い目４８ａ及び４８ｂの下端位置は、スリット４４上であっても良いし、スリット４４の両端部より外側に位置していても良い。
【００８０】
更に、隠しポケット裏布４３の裏側と、前身頃３の裏側とには、係合可能なスナップボタン４９ａ及び４９が縫い付けられている。スナップボタン４９ａ及び４９ｂは、図１８に示すように、隠しポケット４１を縫い目４５ａの近傍で上側に折り返した状態に保持するために設けられている。
【００８１】
図１９は、第４の実施形態に係るポケットへの物品の収納方法を説明する図である。
【００８２】
図１８（ａ）に示したように、ポケット裏布４と前身頃３との間に形成された挿通孔３１は、隠しポケット表布４２と隠しポケット４３との間に形成された挿通孔３３と、スリット４４を介して連通している。また、第２の縫い目４８ａ及び４８ｂの間隔がポケット２の上端縁側から下端縁側に向かって狭まっているため、挿通孔３１に挿入されたスマートフォン１５をスリット４４の方向にガイドする。したがって、ポケット２の挿通孔３１にスマートフォン１５を挿入して押し込むと、スマートフォン１５の一部は、隠しポケット４１内に入り込む。隠しポケット４１に設けられたゴム部材６の収縮力に抗して、スマートフォン１５を更に隠しポケット４１内に挿入すると、図１９に示すように、スマートフォン１５が伸縮部１２を貫通した状態となり、伸縮部１２によってスマートフォン１５が保持される。隠しポケット４１に入り込んだスマートフォン１５は、第１の縫い目４７ａ及び４７ｂによってガイドされるので、スマートフォン１５を隠しポケット４１の内部に押し込むだけで、収縮部１２に導くことができる。このように、収縮部１２にスマートフォン１５を保持することによって、前屈みになった場合などに、スマートフォン１５が予期せずポケット２から脱落してしまうことを防止できる。
【００８３】
本実施形態のように隠しポケット４１を設けた場合、隠しポケット４１によって物品の挿入深さを深くできるので、図２０のように、ポケット２のサイズより小さな物品を収納する場合には、確実にポケット２の内部に収納することができる。また、ポケット２の深さ（ポケット表布５の縦方向の寸法）より長い物品を収納する場合には、物品の挿入深さが深くなっていることによって、収納時におけるポケット２からの物品のはみ出し量を少なくすることができ、物品を収納した場合における見た目をすっきりさせることができる。
【００８４】
また、隠しポケット表布４２の裏面と前身頃３の裏面とに、スナップボタン４９ａ及び４９ｂのような係合可能な部材を設けることによって、隠しポケット４１を上側に折り返した状態で係止することができる。隠しポケット４１を上側に折り返して係止することによって、隠しポケット４１を使用したくない場合や、コイン等の小さな物品を収納する場合に、隠しポケット４１内へと物品が侵入しないようにすることができる。
【００８５】
（第５の実施形態）
図２０は、第５の実施形態に係るポケットの詳細を示す図である。より詳細には、図２０（ａ）は、上衣の正面図であって、構造をわかりやすくするために、ポケット表布５の記載を省略した図である。図２０（ｂ）は、上衣の裏面図である。尚、ポケット２及び隠しポケット４１の基本的な構造は、図１８に示した第４の実施形態と同じであり、スリット４４を介してポケット２と隠しポケット４１とが連通している。
【００８６】
本実施形態に係る衣服は、眼鏡のテンプル等を収納するための挿通孔３２を設けた点と、隠しポケット表布４２及び隠しポケット裏布４３を縫い合わせる第１の縫い目４７ａ及び４７ｂの形状とが、第４の実施形態に係る衣服と異なる。以下、本実施形態と第４の実施形態との相違点を中心に説明する。
【００８７】
まず、図２０（ａ）に示すように、ポケット裏布４のうち、一方の側方端縁（図２０（ａ）の左側端縁）に沿う一部（斜線を付した部分）が切り欠かれており、この切欠を覆うようにゴム部材５０が重ね合わされている。ポケット裏布４の左側端縁に沿ってゴム部材５０上を通過する一対の縫い目１８ａ及び１８ｂによって、ポケット裏布４及びゴム部材５０が前身頃に縫い合わされ、ポケット裏布４及びゴム部材５０と前身頃との間に挿通孔３２が形成されている。更に、縫い目１８ａ及び１８ｂの間には、ポケット２の上端縁側から下端縁側に向かって幅が狭まり、ゴム部材５０を通過する一対の縫い目５１ａ及び５１ｂによって、ポケット裏布４及びゴム部材５０が前身頃３に縫い合わされている。これらの縫い目５１ａ及び５１ｂによって、狭窄部５２が構成されている。
【００８８】
眼鏡のテンプル等を挿通孔３２に挿入した場合、狭窄部５２の部分で抵抗を生じるが、ゴム部材５０が伸縮可能であるため、更に眼鏡のテンプル等を押し込むと、ゴム部材５０を伸張させながら狭窄部５２を通過する。眼鏡のテンプル等が狭窄部５２を通過した後は、ゴム部材５０の収縮力によって保持され、前屈みになった場合等に、眼鏡等の収納物品が予期せず脱落することが防止される。
【００８９】
次に、図２０（ｂ）に示すように、隠しポケット表布４２と隠しポケット裏布４３とを縫い合わせる第１の縫い目４７ａ及び４７ｂは、隠しポケット４１の上端縁側から下端縁側に向かって段階的に幅が狭まるように形成されている。このように第１の縫い目７ａ及び７ｂを形成することによって、図２０（ｂ）に示すように、ゴム部材６の上端縁における第１の縫い目７ａ及び７ｂの間隔Ｗ４は、ゴム部材６の下端縁における第１の縫い目７ａ及び７ｂの間隔Ｗ３より小さくなっている。
【００９０】
図２１は、第５の実施形態に係るポケットへの物品の収納方法を説明する図である。図２１（ａ）及び（ｂ）は、図２０（ｂ）に対応する図であって、前身頃の記載を省略している。
【００９１】
まず、図２１（ａ）は、幅方向の寸法が、ゴム部材６の下端縁における第１の縫い目４７ａ及び４７ｂの間隔Ｗ３より大きく、かつ、ゴム部材６ｂの上端縁における第１の縫い目４７ａ及び４７ｂの間隔Ｗ４より小さいスマートフォン１５ａを、スリット４４を通じて挿通孔３３に挿入した状態を示す。この場合、スマートフォン１５ａの一部が伸縮部１２の上部によって保持され、前屈みになった場合などに、スマートフォン１５ａが予期せず脱落することが防止される。スマートフォン１５ａの幅方向の寸法は、ゴム部材６の下端縁における第１の縫い目４７ａ及び４７ｂの間隔Ｗ３より大きいため、スマートフォン１５ａを挿通孔３３に挿入してポケット２の下方に押し込むと、第１の縫い目４７ａ及び４７ｂによって、スマートフォン１５ａの隠しポケット４１の内部への進行が停止する。
【００９２】
次に、図２１（ｂ）は、幅方向の寸法が、ゴム部材６の下端縁における第１の縫い目４７ａ及び４７ｂの間隔Ｗ３より小さいスマートフォン１５ｂを挿通孔３１に挿入した状態を示す。この場合、スマートフォン１５ｂの一部が主に伸縮部１２の下部によって保持され、前屈みになった場合などに、スマートフォン１５ｂが予期せず脱落することが防止される。
【００９３】
このように、本実施形態に係る衣服によれば、隠しポケット表布４２と隠しポケット裏布４３とを縫い合わせる第１の縫い目４７ａ及び４７ｂの間隔を段階的に狭まるように形成したことによって、幅方向のサイズが異なる２種類の物品を保持することができる。したがって、スマートフォンの機種変更をした場合や、スマートフォンとはサイズの異なる物品を収納する場合でも、収納した物品が予期せず脱落してしまうことを防止できる。また、第１の縫い目４７ａ及び４７ｂと、第２の縫い目４８ａ及び４８ｂとを設けることによって、挿入したスマートフォン等の物品を収縮部１２に導くことができるため、物品を挿入して押し込むだけで、収縮部１２に保持することができる。
【００９４】
（第６の実施形態）
図２２は、第６の実施形態に係るポケットの詳細を示す図である。より詳細には、図２２（ａ）は、上衣の正面図であって、構造をわかりやすくするために、ポケット表布５の記載を省略した図である。図２０（ｂ）は、上衣の裏面図である。尚、ポケット２及び隠しポケット４１の基本的な構造は、図１８に示した第４の実施形態と同じであり、スリット４４を介してポケット２と隠しポケット４１とが連通している。
【００９５】
本実施形態に係る衣服は、ポケット２及び隠しポケット４１にそれぞれ伸縮部１２ａ及び１２ｂを設けたものである。
【００９６】
伸縮部１２ａは、図２０（ｂ）に示すように、隠しポケット表布４２にヒダ１７を寄せて縫い合わされたゴム部材６ａによって構成されている。隠しポケット表布４２と隠しポケット裏布４３とは、隠しポケット４１の上端縁側から可鍛縁側に向かって間隔が狭まる一対の第１の縫い目４７ａ及び４７ｂによって縫い合わされている。伸縮部１２ａ及び第１の縫い目４７ａ及び４７ｂの構成は、第４の実施形態で説明したものと同じであるので、繰り返しの説明を省略する。
【００９７】
伸縮部１２ｂは、図２０（ａ）に示すように、ポケット裏布４にヒダ１７を寄せて縫い合わされたゴム部材６ｂによって構成されている。ポケット裏布４と前身頃３とは、ポケット２の上端縁側から下端縁側に向かって幅が狭まる一対の第２の縫い目４８ａ及び４８ｂによって縫い合わされている。伸縮部１２ｂ及び第２の縫い目４８ａ及び４８ｂの構成は、第２の実施形態で説明したものと同じであるので、繰り返しの説明を省略する。
【００９８】
このように第１の縫い目７ａ及び７ｂと第２の縫い目４８ａ及び４８ｂとを形成することによって、図２２に示すように、ゴム部材６ａの上端縁における第１の縫い目７ａ及び７ｂの間隔Ｗ５は、ゴム部材６ｂの下端縁における第２の縫い目４８ａ及び４８ｂの間隔Ｗ６より小さくなっている。
【００９９】
図２３は、第６の実施形態に係るポケットへの物品の収納方法を説明する図である。図２３（ａ）及び（ｂ）は、図２２（ｂ）に対応する図であって、前身頃の記載を省略している。
【０１００】
まず、図２３（ａ）は、幅方向の寸法が、ゴム部材６ａの上端縁における第１の縫い目４７ａ及び４７ｂの間隔Ｗ５より大きく、かつ、ゴム部材６ｂの下端縁における第１の縫い目４７ａ及び４７ｂの間隔Ｗ６より小さいスマートフォン１５ａを、挿通孔３１に挿入した状態を示す。この場合、スマートフォン１５ａの一部が伸縮部１２ｂによって保持され、前屈みになった場合などに、スマートフォン１５ａが予期せず脱落することが防止される。スマートフォン１５ａの幅方向の寸法は、ゴム部材６ａの上端縁における第１の縫い目４７ａ及び４７ｂの間隔Ｗ５より大きいため、スマートフォン１５ａを挿通孔３３に挿入してポケット２の下方に押し込むと、第１の縫い目４７ａ及び４７ｂによって、スマートフォン１５ａのポケット２内部への進行が停止する。
【０１０１】
次に、図２１（ｂ）は、幅方向の寸法が、ゴム部材６ａの上端縁における第１の縫い目４７ａ及び４７ｂの間隔Ｗ５より小さいスマートフォン１５ｂを、スリット４４を通じて挿通孔３１に挿入した状態を示す。この場合、スマートフォン１５ｂの一部が伸縮部１２ａの下部によって保持され、前屈みになった場合などに、スマートフォン１５ｂが予期せず脱落することが防止される。また、第１の縫い目４７ａ及び４７ｂと、第２の縫い目４８ａ及び４８ｂとを設けることによって、挿入したスマートフォン等の物品を収縮部１２ａ及び１２ｂに導くことができるため、物品を挿入して押し込むだけで、収縮部１２ａまたは１２ｂに保持することができる。
【０１０２】
このように、本実施形態に係る衣服によれば、隠しポケット４１とポケット２に、伸縮部１２ａ及び１２ｂをそれぞれ設けることによって、幅方向のサイズの異なる２種類の物品を保持することができる。したがって、スマートフォンの機種変更をした場合や、スマートフォンとはサイズの異なる物品を収納する場合でも、収納した物品が予期せず脱落してしまうことを防止できる。
【０１０３】
（第４〜第６の実施形態の変形例）
尚、上記の第４〜第６の実施形態では、隠しポケット裏布４３に伸縮部を設けた例を説明したが、隠しポケット表布４２にゴム部材を縫い合わせて伸縮部を構成したり、隠しポケット表布４２及び隠しポケット裏布４３の両方にゴム部材を縫い合わせて伸縮部を形成したりしても良い。すなわち、隠しポケット表布４２と隠しポケット裏布４３との少なくとも一方に伸縮部が設けられていれば良い。
【０１０４】
また、上記の第４〜第６の実施形態において、隠しポケット表布４２及び隠しポケット裏布４３の少なくとも一方をメリヤス等の伸縮性のある生地で形成し、ゴム部材６を用いずに、生地の伸縮性を利用して伸縮部を構成しても良い。
【０１０５】
更に、上記の第４〜第６の実施形態において、隠しポケット４１に幅の異なる２以上の伸縮部を設けても良い。この場合、第１の縫い目４７ａ及び４７ｂの間隔によって規定される各伸縮部の幅が、隠しポケット４１の上端縁側から下端縁側に向かって狭まるように形成する。例えば、隠しポケット４１の上端縁側から下端縁側に向かって、第１及び第２の伸縮部を設ける場合、第１の伸縮部の幅が第２の伸縮部の幅より広くなるように、第１の縫い目４７ａ及び４７ｂを形成する。このように構成することによって、隠しポケット４１内に幅の異なる２種類の物品を収納して保持することができる。
【０１０６】
更に、上記の第４〜第６の実施形態では、第１の縫い目４７ａ及び４７ｂ、第２の縫い目４８ａ及び４８ｂを直線または折れ線とした例を説明したが、第１の縫い目７ａ及び７ｂは、曲線であっても良い。
【０１０７】
更に、上記の第４〜第６の実施形態では、第１の縫い目４７ａ及び４７ｂの外側にもゴム部材が設けられているが、隠しポケット４１の伸縮部は、第１の縫い目４７ａ及び４７ｂの間にあれば良いので、第１の縫い目４７ａ及び４７ｂに挟まれた部分にのみゴム部材が縫い合わされていても良い。第１の縫い目４７ａ及び４７ｂの間に伸縮部が構成される限り、ゴム部材の長さは任意である。
【０１０８】
更に、上記の第４の実施形態では、隠しポケット４１を折り返して係止するためにスナップボタン４９ａ及び４９ｂを設けた例を説明したが、隠しポケット４１を折り返して前身頃に保持できるものであれば、スナップボタン４９ａ及び４９ｂ以外の部材を用いても良い。例えば、スナップボタン４９ａ及び４９に代えて、面ファスナーを設けたり、ボタンとボタンホールを設けたりしても良い。
【０１０９】
更に、上記の第５及び第６の実施形態においても、第４の実施形態で説明したような、隠しポケット４１を折り返して係止するための部材を設けても良い。特に、第６の実施形態では、スリット４４より幅広の物品を挿入する場合には、ポケット裏布４に設けられた伸縮部１２ｂによって物品を保持することができ、隠しポケット４１を使用する必要はないので、隠しポケット４１を折り返して係止することによって、隠しポケット４１にコイン等の小さな物品が入り込んでしまうことを防止できる。
【０１１０】
更に、上記の第４及び第６の実施形態において、眼鏡のテンプル等を保持するための挿通孔３２を設けても良い。具体的には、第２、第３及び第５の実施形態で説明した構成を採用することができる。逆に、第５の実施形態の構成において、挿通孔３２を省略しても良い。
【０１１１】
（第７の実施形態）
図２４は、第７の実施形態に係る衣服の正面図であり、図２５は、図２４に示すＸＸＶＩ−ＸＸＶＩラインに沿う断面図であり、図２６は、図２４に示すＢ部分の裏面図である。
【０１１２】
本実施形態に係る衣服１は、前身頃３のポケット形成領域の表側に設けられるポケット２と、ポケット形成領域の裏側に設けられる隠しポケット４１とを備える。
【０１１３】
ポケット２は、１枚のポケット布６０をポケット形成領域に重ね合わせて、ポケット布６０の上端縁を除く周縁部を前身頃３のポケット形成領域に縫い合わせることによって形成されている。これによって、ポケット布６０と前身頃３との間には、物品を挿入可能な挿通孔３１が構成される。
【０１１４】
前身頃３には、図２５及び２６に示すように、ポケット２の下端縁の縫い目に沿って幅方向に延びるスリット５５が設けられている。
【０１１５】
隠しポケット４１は、隠しポケット表布４２及び隠しポケット裏布４３よって構成されている。隠しポケット表布４２は、スリット５５よりもポケット２の下端縁側においてスリット５５に沿う縫い目５６ａによって前身頃３に縫い合わされている。また、隠しポケット裏布４３は、スリット５５よりもポケット２の上端縁側においてスリット５５に沿う縫い目５６ｂによって前身頃３に縫い合わされている。また、隠しポケット表布４２と隠しポケット裏布４３の左右の端縁部分と下端縁部分とが互いに縫い合わされ、隠しポケット表布４２及び隠しポケット裏布４３の間に挿通孔３３が形成されている。
【０１１６】
隠しポケット表布４２及び隠しポケット裏布４３は、図２６に示すように、上端縁側から下端縁側に向かって隠しポケット４１の幅方向における間隔が狭まる一対の縫い目５７ａ及び５７ｂによって縫い合わされている。更に、隠しポケット裏布４３には、一対の縫い目５７ａ及び５７ｂで挟まれた少なくとも一部に、ポケットの幅方向に伸縮性を有する伸縮部１２が設けられている。本実施形態では、隠しポケット裏布４３に対して、隠しポケット４１の幅方向に延びるゴム部材５８を縫い合わせ、縫い目５７ａ及び５７ｂで挟まれたゴム部材５８の一部によって伸縮部１２が構成されている。本実施形態では、ポケット裏布４にゴム部材５８を縫い合わせる際には、ゴム部材５８の上端縁部分と下端縁部分とにおいて、ポケット裏布４にヒダ１７が形成されるように、ポケット裏布４の幅方向にギャザーを寄せて縫製を行うことによって、ゴム部材５８が隠しポケット４１の幅方向に伸縮自在となっている。また、ゴム部材５８上に位置する縫い目５７ａ及び５７ｂの間隔は、収縮部１２によって保持する物品の幅より小さくなるように設定されている。
【０１１７】
尚、本実施形態では、隠しポケット裏布４３にゴム部材５８を縫い合わせているが、隠しポケット表布４２にゴム部材５８を縫い合わせて伸縮部１２を構成しても良いし、隠しポケット表布４２及び隠しポケット裏布４３の両方にゴム部材５８を縫い合わせて伸縮部１２を構成しても良い。すなわち、隠しポケット表布４２と隠しポケット裏布４３との少なくとも一方に伸縮部が設けられていれば良い。あるいは、隠しポケット表布４２と隠しポケット裏布４３とを、メリヤス等の伸縮性のある生地によって形成することによって、縫い目５７ａ及び５７ｂの間に伸縮部１２を設けても良い。
【０１１８】
以上のように構成することによって、本実施形態に係る衣服１には、図２５に示すように、ポケット２の挿通孔３１と隠しポケット４１の挿通孔とが、前身頃３のスリット５５を通じて連通している。
【０１１９】
図２７は、第７の実施形態に係るポケットへの物品の収納方法を説明する図である。より詳細には、図２７（ａ）は、衣服の正面図であり、図２７（ｂ）は、衣服の前身頃の裏面図である。
【０１２０】
図２５に示したように、ポケット布６０と前身頃３との間に形成された挿通孔３１は、隠しポケット表布４２と隠しポケット４３との間に形成された挿通孔３３と、スリット５５を介して連通している。スリット５５は、ポケット布６０の下端縁部分と前身頃とを縫い合わせる縫い目に沿って、つまり、ポケット２の下端縁近傍に形成されているため、ポケット２の挿通孔３１にスマートフォン１５を挿入すると、スマートフォン１５は、スリット５５を貫通して隠しポケット４１内に入り込む。ただし、ゴム部材５５上に位置する縫い目５７ａ及び５７ｂの間隔は、スマートフォン１５の幅より小さく設定されているので、スマートフォン１５の一部を隠しポケット４１に挿入しただけの状態では、スマートフォン１５の移動は、縫い目５７ａ及び５７ｂによって規制されるので、スマートフォン１５は収縮部１２を貫通しない。
【０１２１】
隠しポケット４１に設けられたゴム部材５５の収縮力に抗して、スマートフォン１５を更に隠しポケット４１内に挿入すると、図２７に示すように、スマートフォン１５が伸縮部１２を貫通した状態となり、伸縮部１２によってスマートフォン１５が保持される。隠しポケット４１には、隠しポケット４１の上端縁側から下端縁側に向かって幅が狭まる縫い目５７ａ及び５７ｂが形成されているため、これらの縫い目５７ａ及び５７ｂが、スマートフォン１５を隠しポケット４１の幅方向中央に導くガイドとして機能する。したがって、隠しポケット４１に入り込んだスマートフォン１５を隠しポケット４１の内部に押し込むだけで、収縮部１２に導くことができる。このように、収縮部１２にスマートフォン１５を保持することによって、前屈みになった場合などに、スマートフォン１５が予期せずポケット２から脱落してしまうことを防止できる。
【０１２２】
（第７の実施形態の変形例）
尚、本実施形態においては、ポケット布６０を矩形状とした例を説明したが、ポケット布６０は、矩形以外であっても良い。例えば、ポケット布６０の下方側の２つのコーナー部分を斜めにカットしたり、曲線状にカットしたりしても良い。このように構成すれば、ポケット布６０の周囲を縫い合わせる縫い目が、ポケット２の上端縁側から下端縁側にかけて幅が狭まるように形成されるため、ポケット６０の周囲を縫い合わせる縫い目が、挿通孔３１に挿入された物品を隠しポケット４１に導くガイドとして機能する。この結果、隠しポケット４１への物品の挿入を更にしやすくすることができる。
【０１２３】
更に、上記の第７の実施形態において、第３の実施形態のように、隠しポケット４１に幅の異なる２以上の伸縮部を設けても良い。例えば、隠しポケット４１の上端縁側から下端縁側に向かって、第１及び第２の伸縮部を設ける場合、第１の伸縮部の幅が第２の伸縮部の幅より広くなるように、縫い目５７ａ及び５７ｂを形成する。このように構成することによって、隠しポケット４１内に幅の異なる２種類の物品を収納して保持することができる。
【０１２４】
更に、上記の第７の実施形態では、縫い目５７ａ及び５７ｂを直線とした例を説明したが、隠しポケット４１の上端縁側から下端縁側にかけて段階的に間隔が狭まる折れ線としたり、隠しポケット４１の上端縁側から下端縁側にかけて間隔が狭まる曲線としたりしても良い。
【０１２５】
更に、上記の第７の実施形態では、縫い目５７ａ及び５７ｂの外側にもゴム部材５５が設けられているが、隠しポケット４１の伸縮部１２は、縫い目５７ａ及び５７ｂの間にあれば良いので、縫い目５７ａ及び５７ｂに挟まれた部分にのみゴム部材５８が縫い合わされていても良い。縫い目５７ａ及び５７ｂの間に伸縮部１２が構成される限り、ゴム部材５８の長さは任意である。
【０１２６】
更に、上記の第７の実施形態においても、第４の実施形態で説明したような、隠しポケット４１を折り返して係止するためのスナップボタン等の係止部材を設けても良い。第７の実施形態では、スリット５５より幅広の物品を挿入する場合や、コイン等の小さな物品をポケット２に挿入する場合には、隠しポケット４１を折り返して係止することによって、隠しポケット４１のないポケットとほぼ同等の形態に変形させることができ、隠しポケット４１にコイン等の小さな物品が入り込んでしまうことを防止できる。
【０１２７】
更に、上記の第７の実施形態においても、眼鏡のテンプル等を保持するための挿通孔３２を設けても良い。具体的には、第２、第３及び第５の実施形態で説明した構成を採用することができる。
【０１２８】
（第８の実施形態）
図２８は、第８の実施形態に係るポケットの断面図であって、図３に対応する断面図である。
【０１２９】
本実施形態に係る衣服１の基本的な構成は、第１の実施形態で示したものと同じであるが、ポケット２を構成するポケット裏布４とポケット表布５とを別々に設け、ポケット裏布４と前身頃３のポケット形成領域との間に面ファスナー５３を取り付けた点で、第１の実施形態と異なる。
【０１３０】
より詳細には、第１の実施形態では、ポケット裏布４とポケット表布５とが１枚の生地で構成され、上端縁部分で折り返されていたのに対して、本実施形態では、ポケット裏布４がポケット表布５とがそれぞれ別の生地で構成され、それぞれの上端縁部分が互いに縫い合わされていない。したがって、図２８に示すように、ポケット表布５とポケット裏布４との間には被収納物を挿入可能な挿通孔３４が形成されている。また、面ファスナー５３は、ポケット裏布４の上端縁のほぼ全体に沿って取り付けられており、ポケット裏布４の上端縁部分を前身頃３に着脱自在に係止する。面ファスナー５３を開くと、ポケット裏布４と前身頃３との間には、第１の実施形態と同様の挿通孔３１が形成される。
【０１３１】
尚、図示を省略しているが、ポケット裏布４は、第１の実施形態と同様に、ポケット２の下端方向に向かって幅が狭まる一対の第１の縫い目によって前身頃３に縫い合わされている。また、ポケット裏布４の第１の縫い目に挟まれ部分には、ゴム部材６を縫い合わせることによって伸縮部が形成されている。
【０１３２】
図２９は、第８の実施形態に係るポケットへ物品を収納した状態を示す図である。より詳細には、図２９（ａ）は、挿通孔３１にスマートフォン１５を収納した状態を示し、図２９（ｂ）は、挿通孔３４に切符５４及びコイン５５を収納した状態を示す。
【０１３３】
本実施形態に係るポケット２には、２つの挿通孔３１及び３４が設けられており、ポケット２からの脱落を防止したい被収納物（例えば、スマートフォン１５）を収納する場合には、ポケット裏布４と前身頃３との間の挿通孔３１を使用し、伸縮部１２によって脱落防止をできない被収納物（例えば、切符５４やコイン５５等）を収納する場合には、ポケット表布５とポケット裏布４との間の挿通孔３４を使用する。
【０１３４】
より詳細に、スマートフォン１５をポケット２に収納する場合には、図２９（ａ）に示すように、ポケット裏布４と前身頃３との間の面ファスナーを剥離して、ポケット裏布４と前身頃３との間を開放する。この状態で、挿通孔３１にスマートフォン１５を挿入し、第１の実施形態で説明した手順により、スマートフォン１５にポケット裏布４の下端縁と前身頃３との間の開口部を貫通させる。スマートフォン１５は、伸縮部１２による収縮力によって保持されため、前屈みになるなどしてポケット２の開口部が下方に向いた場合でも、ポケット２からのスマートフォン１５の脱落が防止される。
【０１３５】
一方、切符５４やコイン５５をポケット２に収納する場合には、図２９（ｂ）に示すように、ポケット表布５とポケット裏布４との間の挿通孔３４に被収納物を挿入する。上述したように、ポケット裏布４は、被収納物の伸縮部への挿入を容易にする目的で、ポケット２の底部側に向かって間隔が狭まる一対の第１の縫い目で前身頃３に縫い合わされているため、挿通孔３１の幅（内部の間隔）も、ポケット２の底部に向かって狭まっている。切符５４やコイン５５等の比較的小さな物品は、ポケット２の底部にまで侵入するが、第１の実施形態のように挿通孔３１のみを設けた構成では、挿通孔３１の幅が狭まっていることによって、ポケット２の底部に達した切符５４やコイン５５を取り出しにくい。これに対して、本実施形態では、ポケット表布５とポケット裏布４の上端縁を開放し、これらの間に挿通孔３４を設けているが、ポケット表布５とポケット裏布４とは周縁部を除いて縫い合わされていないため、ポケット表布５とポケット裏布４の間の空間を通常のポケットと同様に使用できる。したがって、切符５４やコイン５５といった比較的小さな物品をポケット２に収納した場合でも、被収納物を掴んで取り出しやすくなる。
【０１３６】
スマートフォン１５をポケット２の保持しない場合には、面ファスナー５３を閉じておけば、挿通孔３１やポケット裏布４に設けた伸縮部の存在を意識することなく、ポケット表布５とポケット裏布４との間の空間を通常のポケットとして使用することができる。つまり、ポケット２に収納した切符５４やコイン５５を取り出す場合に、これらの取り出しが困難な、ポケット裏布４と前身頃３と間の挿通孔３１に手を入れてしまうことを防止し、切符５４やコイン５５の取り出しを容易にすることができる。
【０１３７】
尚、本実施形態においては、ポケット裏布４の上端縁をポケット形成領域に固定する係止部材として面ファスナー５３を用いた例を挙げたが、係止部材は面ファスナーに限定されるものではなく、ポケット裏布４の上端縁をポケット形成領域に着脱自在に係止することができるものであれば良い。係止部剤としては、例えば、スナップボタン、ホック、一般的なボタン、線ファスナーなどを使用することができる。また、本実施形態においては、ポケット裏布４及びポケット形成領域の上端縁の略全体に渡って面ファスナー５３を設けているが、挿通孔３１の上端部分に誤って手を入れてしまうことを抑制できる程度に挿通孔３１が閉じられていれば良く、例えば、ポケット裏布４及びポケット形成領域の上端縁の一部分（例えば、中央）に面ファスナー５３を設けてもよい。
【０１３８】
また、本実施形態では、第１の実施形態と同様の伸縮部を設ける例を説明したが、第２または第３の実施形態で説明した伸縮部を設けても良い。あるいは、本実施形態では、ゴム部材６を用いて伸縮部を構成する代わりに、ポケット裏布４をメリヤス等の伸縮性のある生地で形成し、ポケット裏布４の伸縮性を利用して伸縮部１２を構成してもよい。
【０１３９】
（第９の実施形態）
図３０は、第９の実施形態に係る上衣１の正面図であり、図３１は、図３０に示した上衣１の首元付近を裏側から見た図であり、図３２は、第９の実施形態に係る保持部材の詳細を示す図である。尚、図３２において便宜上前身頃の記載を省略しているが、実際には、紙面上の最も背面側に前身頃が位置している。
【０１４０】
上衣６１は、前身頃６３の襟元裏側に眼鏡６２のテンプル等を襟元側にある入口側開口部６６から裾側にある２つの出口側開口部６７へと挿通可能な挿通孔を有する保持部材６４が設けられている点に特徴を有する。以下、保持部材６４を上衣６１に設ける方法の具体例を説明するが、保持部材６４を上衣６１に設ける方法は以下に限定されるものではない。
【０１４１】
図３１及び３２に示すように、保持部材６４は、前側の布７０及び内側の布７１の２枚の布を重ね合わせ、襟元側から裾側に向かって間隔が狭まる逆Ｖ字型の縫い目６５ａと、縫い目６５ａの側方において、襟元側から裾側に向かって延びる一対の縫い目６５ｂ及び６５ｃとで縫い合わされることによって形成されている。布７１は、メリヤス等のストレッチ素材や、帯状のゴム等の伸縮性を有するシート状の材料からなる。また、縫い目６５ａ及び６５ｂの間隔と、縫い目６５ａ及び６５ｃの間隔とは、いずれも襟元側から裾側に向かって狭まっている。縫い目６５ａ及び６５ｂに挟まれた部分と、縫い目６５ａ及び６５ｃに挟まれた部分には、他の縫い目が設けられておらず、保持部材６４を構成する前側の布７０及び内側の布７１の２枚の布の間には、入口側開口部６６と出口側開口部６７ａ及び６７ｂとを有し、襟元側から裾側に向かって幅が狭まる一対の貫通孔が形成されている。尚、保持部材６４の２つの出口側開口部６７ａ及び６７ｂは、眼鏡６２のテンプル等の被保持物を挿入可能な大きさを有していれば良く、入口側開口部６６は、被保持物の挿入をしやすい大きさを有していれば良い。
【０１４２】
このようにして設けた保持部材６４の入口側開口部６６に眼鏡６２のテンプルを挿入すると、逆Ｖ字の縫い目６５ａによってテンプルの先端部がいずれかの貫通孔に導かれる。布７１が伸縮性の材料で形成されているため、メガネ６２のテンプルを押し込むと、挿入された貫通孔及び出口側開口部６７を押し広げながら、図３１に示すように、テンプルが出口側開口部６７ａまたは６７ｂを貫通した状態となる。この状態では、布７１の収縮により再度、出口側開口部６７が狭まるため、前屈みになるなどして眼鏡６２が脱落しようとした場合でも、眼鏡６２のテンプルの先セルが保持部材６４の出口側開口部６７ａまたは６７ｂに引っ掛かるため、眼鏡６２の脱落を防止できる。よって、本実施形態に係る上衣６１によれば、眼鏡６２を安定に保持することができる。また、保持部材６４は、前身頃６３襟元の裏側に設けられているため、眼鏡６２を保持部材６４に引っ掛けていない状態においても、保持部材６４が外見上見えることがないため、上衣６１のデザイン性を損なわない。
【０１４３】
尚、本実施形態では、保持部材６４を半袖のＴシャツの襟元の裏側に設けているが、袖の長さや、襟の形状は限定されない。すなわち、長袖シャツの襟元裏側にも同様に保持部材６４を設けることができる。また、丸首、Ｕ首、Ｖ首を初めとする任意の襟形状を有する上衣に保持部材６４を設けることができる。さらに、襟元から胸元あるいは裾にかけて、ファスナーや前立てが設けられている上衣に保持部材６４を設けてもよく、上衣の種類は特に限定されるものではない。また、保持部材６４は、上衣以外に設けても良い。
【０１４４】
さらに、本実施形態は、保持部材６４を襟元の裏側に設けているが、襟元から胸元あるいは裾にかけて、前立てが設けられている上衣では、前立ての裏側に保持部材６４を設けてもよく、保持部材６４は少なくとも眼鏡６２のテンプルが差し込める場所に設ければよい。また、胸元などにポケットが設けられている上衣では、胸ポケットなどポケットの裏側に保持部材６４を設けてもよい。
【０１４５】
尚、保持部材６４を構成する方法は特に限定されるものではなく、入口側開口部６６と２つの出口側開口部６７とを有し、それぞれの出口側開口部６７の幅方向は、出口側開口部６７の下端側へと向かって狭まるように構成されていればよい。また、本実施形態は１つの入口側開口部６６と２つの出口側開口部６７により構成されているが、これに限定されるものではなく、例えば、１つの入口側開口部６６と３つの出口側開口部６７により、あるいは、２つの入口側開口部６６と４つの出口側開口部６７とにより構成されていてもよい。
【０１４６】
（その他の変形例）
更に、上記の第１〜第８の各実施形態では、ポケット２に収納する物品としてスマートフォン１５を例示したが、収納物品はスマートフォン１５に限定されず、携帯電話やその他の携帯型電子機器、パスケース、カード類、たばこ等を収納する目的でも本発明は利用可能である。
【０１４７】
更に、上記の第１〜第８の各実施形態では、シャツの前身頃に設ける胸ポケットに本発明を適用した例を説明したが、衣服の袖に付けるポケットや、裏ポケット等、胸ポケット以外のポケットに本発明を適用しても良い。また、ズボンやコート等、シャツ以外の衣服や鞄類にも本発明を適用可能である。シャツ以外の衣服や鞄に本発明を適用する場合、ポケット裏布４及びポケット表布を、衣服や鞄を構成する生地上のポケット形成領域に縫い合わせることによって、上記の各実施形態と同様に、伸縮部１２を備えたポケット２を構成できる。
【０１４８】
更に、上記の第１〜第９の各実施形態で説明した構成を適宜組み合わせても良い。
【産業上の利用可能性】
【０１４９】
本発明は、スポーツシャツやワイシャツ等の上衣やズボン等の衣服に利用できる。
【符号の説明】
【０１５０】
１  衣服
２  ポケット
３  前身頃
４  ポケット裏布
５  ポケット表布
６、６ａ、６ｂ  ゴム部材
７ａ、７ｂ  第１の縫い目
８  上端縁
９  下端縁
１０  切欠
１２、１２ａ、１２ｂ  伸縮部
１５、１５ａ、１５ｂ  スマートフォン
１６  切欠
１８ａ、１８ｂ  第２の縫い目
１９  狭窄部
３１  挿通孔
３２  挿通孔
３３  挿通孔
３４  挿通孔
４１  隠しポケット
４２  隠しポケット表布
４３  隠しポケット裏布
４４  スリット
４５ａ、４５ｂ  縫い目
４７ａ、４７ｂ  第１の縫い目
４８ａ、４８ｂ  第２の縫い目
５３  面ファスナー
５４  切符
５５  コイン
６１  上衣
６２  眼鏡
６３  前身頃
６４  保持部材
６５ａ、６５ｂ、６５ｃ  縫い目
６６  入口側開口部
６７ａ、６７ｂ  出口側開口部
６８  襟部
７０  前側の布
７１  内側の布
【図１】
0006370973.tif 000002
【図２】
0006370973.tif 000003
【図３】
0006370973.tif 000004
【図４】
0006370973.tif 000005
【図５】
0006370973.tif 000006
【図６】
0006370973.tif 000007
【図７】
0006370973.tif 000008
【図８】
0006370973.tif 000009
【図９】
0006370973.tif 000010
【図１０】
0006370973.tif 000011
【図１１】
0006370973.tif 000012
【図１２】
0006370973.tif 000013
【図１３】
0006370973.tif 000014
【図１４】
0006370973.tif 000015
【図１５】
0006370973.tif 000016
【図１６】
0006370973.tif 000017
【図１７】
0006370973.tif 000018
【図１８】
0006370973.tif 000019
【図１９】
0006370973.tif 000020
【図２０】
0006370973.tif 000021
【図２１】
0006370973.tif 000022
【図２２】
0006370973.tif 000023
【図２３】
0006370973.tif 000024
【図２４】
0006370973.tif 000025
【図２５】
0006370973.tif 000026
【図２６】
0006370973.tif 000027
【図２７】
0006370973.tif 000028
【図２８】
0006370973.tif 000029
【図２９】
0006370973.tif 000030
【図３０】
0006370973.tif 000031
【図３１】
0006370973.tif 000032
【図３２】
0006370973.tif 000033